(57)【要約】１つの全般的態様によれば、装置は、導電性フレーム（１０２）と、スロットアンテナ（１０４）とを含み得る。スロットアンテナ（１０４）は、導電性フレーム（１０２）によって少なくとも部分的に形成され得、スロットアンテナ（１０４）は、スロット開口（１０６）を含み、少なくとも第１の周波数共振を提供するように構成される。スロット開口（１０６）の幅は、第１の共振周波数の波長の１／２００以下であり得る。【選択図】なし
2014533454.tif 000002
【特許請求の範囲】
【請求項１】
装置であって、
導電性フレームと、
前記導電性フレームによって少なくとも部分的に形成される、第１のスロットアンテナであって、第１のスロット開口を含む、第１のスロットアンテナと、
前記導電性フレームによって少なくとも部分的に形成される、第２のスロットアンテナであって、第２のスロット開口を含み、前記第１のスロットアンテナからある距離離れて形成される、第２のスロットアンテナと、
を備える、装置。
【請求項２】
電気信号を直接受信するように構成される、前記第１のスロットアンテナの給電点をさらに含み、前記給電点は、前記第１のスロットアンテナを、短絡部分および開放部分に分割する、請求項１に記載の装置。
【請求項３】
前記第１のスロットアンテナの前記短絡部分は、前記第１のスロットアンテナの前記開放部分の実質的に周囲に位置付けられ、容量結合を介して、前記第１のスロットアンテナで第２の周波数共振を生成する、請求項２に記載の装置。
【請求項４】
前記給電点は、前記第１のスロットアンテナの前記短絡部分のキャパシタンス、および前記第１のスロットアンテナの前記開放部分のインダクタンスが、所定のインピーダンスに一致するように位置付けられる、請求項２に記載の装置。
【請求項５】
前記導電性フレームは、前記第１のスロットアンテナの接地面を形成する、請求項１に記載の装置。
【請求項６】
容量結合を介して、前記第１のスロットアンテナで１つ以上の追加の周波数共振を生成するように構成される、１つ以上の導電性結合要素をさらに含み、
前記１つ以上の導電性結合要素は、前記第１のスロットアンテナに物理的に接触しないように位置付けられる、請求項１に記載の装置。
【請求項７】
前記第１のスロットアンテナは、前記導電性フレームの隔離部分を生成するために、前記導電性フレーム内に位置付けられ、
前記導電性フレームの前記隔離部分は、第１の周波数共振を生成するために、電気的に励振されるように構成される、請求項１に記載の装置。
【請求項８】
容量結合を介して、前記第１のスロットアンテナで第２の周波数共振を生成するように構成される、導電性結合要素をさらに含む、請求項７に記載の装置。
【請求項９】
直接的な電気的結合を防止するために、前記導電性フレームの前記導電性結合要素および前記隔離部分は、物理的に分離される、請求項８に記載の装置。
【請求項１０】
前記スロット開口の幅は、０．６ミリメートルである、請求項１に記載の装置。
【請求項１１】
前記スロット開口の幅は、２ミリメートルである、請求項１に記載の装置。
【請求項１２】
装置であって、
導電性フレームと、
前記導電性フレームによって少なくとも部分的に、かつ前記導電性フレームの第１の面内に形成される、スロットアンテナであって、スロット開口を含み、少なくとも第１の周波数共振を提供するように構成され、また、前記スロットアンテナを開放部分および短絡部分に分割する給電点を含む、スロットアンテナと、
前記導電性フレームの第２の面内に形成され、第１の絶縁材料によって前記導電性フレームから分離される、結合要素であって、前記給電点を介して、電気信号によって励振されるように構成される、結合要素と、
前記スロットアンテナの端部と結合され、前記導電性フレームの第３の面内に形成され、また、第２の絶縁材料によって前記導電性フレームから分離される、結合アームと、を備え、
前記第１の面、第２の面、および第３の面は、前記スロットアンテナ、前記結合要素、および前記結合アームが互いの上側または下側にあるように、異なる面である、
装置。
【請求項１３】
前記スロットアンテナの前記給電点は、電気信号を直接受信するように構成される、請求項１２に記載の装置。
【請求項１４】
前記スロットアンテナの前記短絡部分は、前記スロットアンテナの前記開放部分の実質的に周囲に位置付けられ、容量結合を介して、前記スロットアンテナで第２の周波数共振を生成する、請求項１３に記載の装置。
【請求項１５】
前記給電点は、前記スロットアンテナの前記短絡部分のキャパシタンス、および前記スロットアンテナの前記開放部分のインダクタンスが、所定のインピーダンスに一致するように位置付けられる、請求項１３に記載の装置。
【請求項１６】
前記導電性フレームは、前記スロットアンテナの接地面を形成する、請求項１２に記載の装置。
【請求項１７】
前記結合要素は、容量結合を介して、前記スロットアンテナで１つ以上の追加の周波数共振を生成するように構成され、
前記結合要素は、前記スロットアンテナに物理的に接触しないように位置付けられる、請求項１２に記載の装置。
【請求項１８】
前記スロットアンテナは、前記導電性フレームの隔離部分を生成するために、前記導電性フレーム内に位置付けられ、
前記導電性フレームの前記隔離部分は、第１の周波数共振を生成するために、電気的に励振されるように構成される、請求項１２に記載の装置。
【請求項１９】
前記結合要素は、容量結合を介して、前記スロットアンテナで第２の周波数共振を生成するように構成される、請求項１８に記載の装置。
【請求項２０】
直接的な電気的結合を防止するために、前記導電性フレームの前記結合要素および前記隔離部分は、物理的に分離される、請求項１９に記載の装置。
【請求項２１】
前記スロット開口の幅は、０．６ミリメートルである、請求項１２に記載の装置。
【請求項２２】
前記スロット開口の幅は、２ミリメートルである、請求項１２に記載の装置。
【請求項２３】
装置であって、
命令を実行するためのプロセッサと、
情報をユーザに表示するためのモニタと、
前記プロセッサ、前記モニタ、およびアンテナシステムを少なくとも部分的に収容するための導電性筐体と、
スロットアンテナ、結合要素、および結合アームを含む前記アンテナシステムと、を備え、
前記スロットアンテナは、
前記導電性筐体の第１の面内に含まれ、
スロット開口を含み、
少なくとも第１の周波数共振を提供するように構成され、また、
前記スロットアンテナを開放部分および短絡部分に分割する給電点を含み、
前記結合要素は、
前記導電性筐体の第２の面内に形成され、
第１の絶縁材料によって前記導電性筐体から分離され、また、
前記給電点を介して、電気信号によって励振されるように構成され、
前記結合アームは、
前記スロットアンテナの端部と結合され、
前記導電性筐体の第３の面内に形成され、また、
第２の絶縁材料によって前記導電性筐体から分離され、
前記第１の面、第２の面、および第３の面は、前記スロットアンテナ、前記結合要素、および前記結合アームが互いの上側または下側にあるように、異なる面である、
装置。
【請求項２４】
前記導電性結合要素は、
容量結合を介して、前記スロットアンテナで第２の周波数共振を生成するように構成され、
前記スロットアンテナに物理的に接触しないように位置付けられる、請求項２３に記載の装置。
【発明の詳細な説明】
【技術分野】
【０００１】
関連出願の相互参照
本出願は、２０１１年１０月８日に出願の米国特許出願第１３／２６９，５７２号、名称「ＡＮＴＥＮＮＡＳ  ＦＯＲ  ＣＯＭＰＵＴＥＲＳ  ＷＩＴＨ  ＣＯＮＤＵＣＴＩＶＥ  ＣＨＡＳＳＩＳ」に対する優先権を主張し、その継続出願であり、該出願は、合衆国法典第３５巻第１１９条（ｅ）の下で、２０１１年９月３０日に出願の米国仮特許出願第６１／５４１，７４０号、名称「ＡＮＴＥＮＮＡＳ  ＦＯＲ  ＣＯＭＰＵＴＥＲＳ  ＷＩＴＨ  ＣＯＮＤＵＣＴＩＶＥ  ＣＨＡＳＳＩＳ」に対する優先権を主張する。これらのより初期に出願された出願の主題のどちらも、参照によりその全体が本明細書に組み込まれる。
【０００２】
この説明は、電気信号の伝送および受信に関し、より具体的には、スロットアンテナに関する。
【背景技術】
【０００３】
ラップトップおよびタブレット等のための、金属またはより全般的には導電性筐体が、広まっている。全般的に、これらの金属またはより全般的には導電性筐体は、優雅な見た目および機械的強度をコンピュータの設計に提供する。しかしながら、それは、アンテナに関する問題を難しくする。
【０００４】
モノポールアンテナ、逆Ｆアンテナ（ＩＦＡ）、または平面ＩＦＡ（ＰＩＦＡ）のような標準的なアンテナ設計は、それぞれ、十分な帯域幅を提供し、効率的に放射するために、電気的接地からある高さまたはある距離を必要とする。導電性筐体と結合されると、所望の高さおよび距離が可能でなくなり得る。
【０００５】
スロットアンテナは、一般的に、穴またはスロット状の切り抜きを有する金属面、通常は平板を含む。平板が駆動周波数によってアンテナとして駆動されると、スロットは、ダイポールアンテナに類似する方法で電磁波を放射する。全般的に、スロットの形状およびサイズ、ならびに駆動周波数は、放射分布パターンを決定する。しかしながら、現代のネットワーク周波数（例えば、セルラーネットワーク、無線ローカルエリアネットワーク（ＷＬＡＮまたはＷｉ−Ｆｉ）等）のためのアンテナとしての機能を果たすために、スロットアンテナは、従来、非常に幅の広いスロット（例えば、６〜７ｍｍよりも大きい）を必要とする。あるいは、より小さいスロットを有するスロットアンテナは、従来、所望の帯域幅または放射周波数が不十分である。これらの欠陥はどちらも、導電性筐体内のスロットアンテナの実際的応用を限定する。
【発明の概要】
【０００６】
１つの全般的態様によれば、装置は、導電性フレームと、スロットアンテナとを含み得る。スロットアンテナは、導電性フレームによって少なくとも部分的に形成され得、スロットアンテナは、スロット開口を含み、少なくとも第１の周波数共振を提供するように構成される。スロット開口の幅は、第１の共振周波数の波長の１／２００以下であり得る。
【０００７】
別の全般的態様によれば、方法は、電気信号をアンテナシステムの給電点に伝送することを含み得る。アンテナシステムは、スロットアンテナを含み得る。スロットアンテナは、導電性フレームに包含され得る。スロットアンテナは、スロット開口を含み得る。スロットアンテナは、少なくとも第１の周波数共振を提供するように構成され得る。スロット開口の幅は、第１の共振周波数の波長の１／２００以下であり得る。
【０００８】
別の全般的態様によれば、装置は、プロセッサと、モニタと、導電性筐体と、アンテナシステムとを含み得る。プロセッサは、命令を実行し得る。モニタは、情報をユーザに表示し得る。導電性筐体は、プロセッサ、モニタ、およびアンテナシステムを少なくとも部分的に収納し得る。アンテナシステムは、スロットアンテナを含み得る。スロットアンテナは、導電性筐体によって含まれ得る。スロットアンテナは、スロット開口を含み得る。スロットアンテナは、少なくとも第１の周波数共振を提供するように構成され得る。スロット開口の幅は、第１の共振周波数の波長の１／２００以下であり得る。
【０００９】
１つ以上の実現例の詳細は、添付図面および下の説明で記述される。他の特徴は、説明および図面から、および特許請求の範囲から明らかになるであろう。
【００１０】
スロットアンテナのためのシステムおよび／または方法は、実質的に、図面の少なくとも１つに示される通りであり、および／または図面の少なくとも１つと関連して説明される通りであり、特許請求の範囲でより完全に記述される通りである。
【図面の簡単な説明】
【００１１】
【図１】開示される主題に従うシステムの例示的な実施形態の図である。
【００１２】
【図２】開示される主題に従うシステムの例示的な実施形態によって作成される周波数グラフである。
【００１３】
【図３】開示される主題に従うシステムの例示的な実施形態の図である。
【００１４】
【図４】開示される主題に従うシステムの例示的な実施形態によって作成される周波数グラフである。
【００１５】
【図５】開示される主題に従うシステムの例示的な実施形態の図である。
【００１６】
【図６】開示される主題に従うシステムの例示的な実施形態によって作成される周波数グラフである。
【００１７】
【図７】開示される主題に従うシステムの例示的な実施形態の図である。
【００１８】
【図８】開示される主題に従うシステムの例示的な実施形態によって作成される周波数グラフである。
【００１９】
【図９】開示される主題に従う手法の例示的な実施形態のフローチャートである。
【００２０】
【図１０】開示される主題に従って使用することができるコンピュータデバイスおよびモバイルコンピュータデバイスの実施例を示す図である。
【００２１】
種々の図面における同じ参照符号は、同じ要素を示す。
【発明を実施するための形態】
【００２２】
図１は、開示される主題に従うシステム１００の例示的な実施形態の図である。好ましい実施形態において、システム１００は、例えば、共有コンピューティング端末、シンクライアント、デスクトップパーソナルコンピュータ、ラップトップ、ネットブック、タブレット、スマートフォン等の、コンピューティングデバイスを含み得る。
【００２３】
そのような実施形態において、システム１００は、導電性筐体またはフレーム１０２を含み得る。種々の実施形態において、この導電性筐体またはフレーム１０２は、金属（例えば、アルミニウム、マグネシウム合金、チタン等）を含み得る。
【００２４】
いくつかの実施形態において、ラップトップシャーシは、例えば、４つの部品または区画に分割され得る。Ａケースは、ラップトップ画面もしくは後蓋の上側または裏側の、ラップトップシャーシの一部分を含み得る。Ｂケースは、ラップトップ画面もしくは前蓋の前または同じ側の、ラップトップシャーシ上の一部分を含み得る。Ｃケースは、ラップトップの画面の反対側またはキーボード側の頂部を含む、一部分を含み得る。Ｄケースは、ラップトップの底部、下部キャリッジ、または脚側を含み得る。上記は、開示される主題がそれに限定されない、単なる１つの実例となる実施例に過ぎないことを理解されたい。
【００２５】
種々の実施形態において、アンテナは、しばしば、シャーシとラップトップディスプレイ（例えば、ＬＣＤ画面等）との間で、ラップトップのＡケース内に配置される。この空間は、しばしば、非常に小さい（例えば、４または５ｍｍ）。このように、アンテナは、アンテナが良好に放射すること、または広帯域幅もしくは広範囲のサポート周波数を有することを困難にする、金属または導電性シャーシに対して静置され得る。種々の実施形態において、ケースがプラスチックもしくは非導電性であるか、またはアンテナがＡケースの中で従来の位置（例えば、ラップトップの画面とキーボード／下「半分」との間のヒンジ）から遠ざけられた場合、これは、問題でなくなり得る。類似するアンテナ設計の問題または懸念は、他のコンピューティングデバイス（例えば、タブレット、スマートフォン等）について起こり得る。上記は、開示される主題がそれに限定されない、単なる１つの実例となる実施例に過ぎないことを理解されたい。
【００２６】
図示される実施形態において、システム１００は、スロットアンテナ１０４を含み得る。種々の実施形態において、このスロットアンテナ１０４は、４分の１波長のスロットアンテナを含み得る。いくつかの実施形態において、スロットアンテナ１０４のスロット開口１０６は、導電性フレーム１０２の中へ組み込まれ得る。例えば、スロット開口１０６は、コンピューティングデバイスのシャーシまたはフレームの外側で認識できるロゴまたは他の設計の一部として含まれ得る。種々の実施形態において、２つの金属部品の間隔が狭く、１つ以上の場所で接合されるときに、類似するスロットが達成され得る。例えば、金属ヒンジは、１ｍｍ以下の間隔でＡケースに取り付けられ得る。上記は、開示される主題がそれに限定されない、単なる１つの実例となる実施例に過ぎないことを理解されたい。
【００２７】
種々の実施形態において、スロットアンテナ１０４は、電気信号（図示せず）によって励振され得る。この電気信号は、スロットアンテナ１０４が伝送する信号を含み得る。スロットアンテナ１０４はまた、伝送された電気信号を受信し得ることを理解されたい。しかしながら、簡潔にするために、スロットアンテナ１０４は、全般的に、電気信号を伝送または放射するように説明され、この用語は、開示される主題に限定されないことを理解されたい。
【００２８】
種々の実施形態において、電気信号は、接地部分および作動または非接地部分を含み得、ワイヤまたはケーブル（例えば、同軸ケーブル、ツイストペアワイヤ等）を介して、スロットアンテナ１０４に供給され得る。一実施形態において、電気信号の接地は、導電性フレーム１０２に適用され得る。具体的な実施形態において、電気信号の接地は、導電性フレーム１０２（例えば、図７の部分７０８等）の非隔離部分と結合され得る。そのような実施形態において、これは、導電性フレーム１０２に、スロットアンテナ１０２のための接地面としての機能を果たさせ得る。電気信号の作動または非接地部分は、給電点１０８でスロットアンテナ１０４と結合され得る。種々の実施形態において、給電点１０８は、スロットアンテナ１０４の平坦な縁部側の一部分であり得、スロットアンテナ１０８の両側または両縁部に接続されない（例えば、給電点１０８は、例示の目的で、実際のサイズよりも大きく示され得る）。
【００２９】
種々の実施形態では、スロットアンテナ１０４に沿って給電点１０８を選択することによって、スロットアンテナ１０４は、短絡部分１１２と平行に開放部分１１０を含むものとして見なされ得る。そのような実施形態において、開放部分１１０は、開放伝送線として見なされ得、伝送線を開放させる、給電点１０８からスロット開口１０６までのスロットアンテナ１０４の一部分として画定され得る。同様に、短絡部分または閉鎖部分１１２は、開放伝送線として見なされ得、伝送線を短絡させる、スロットアンテナの給電点１０６から閉端部１０７までのスロットアンテナ１０４の一部として画定され得る。
【００３０】
種々の実施形態では、短絡部分１１２のキャパシタンスを開放部分１１０のインダクタンスと平衡させることによって、スロットアンテナ１０４のインピーダンスを調整することができる。いくつかの実施形態において、給電点１０８は、キャパシタンスおよびインダクタンスのそれぞれを調整するために、スロットアンテナ１０４の長さに沿って移動または摺動し得る。種々の実施形態において、給電点１０８の場所は、スロットアンテナ１０４の部分１１０および１１２のキャパシタンスおよびインダクタンスが、本質的または実質的に互いに相殺され得るように、また、スロットアンテナ１０４の共振周波数が、スロット開口または開口部１０６の幅およびスロットアンテナ１０４の長さによって決定され得るように選択され得る。
【００３１】
種々の実施形態において、スロット開口１０６の幅は、非常に小さくなり得る。一実施形態において、スロット開口１０６の幅は、共振周波数または共振波長の１／２００未満（またはそれ以下）であり得る。そのような実施形態において、約１ＧＨｚの共振周波数を有するスロットアンテナ１０４は、約１．５ｍｍ未満のスロット開口１０６の幅を有し得る。２．５Ｇｈｚの共振は、０．６ｍｍのスロット開口１０６を有し得る、等である。別の実施形態において、スロット開口１０６の幅は、２ｍｍ未満（またはそれ以下）であり得る。上記は、開示される主題がそれらに限定されない、単なるいくつかの実例となる実施例に過ぎないことを理解されたい。
【００３２】
図示される実施形態において、スロットアンテナ１０４は、略「Ｌ」字形を有するように図示される。上記は、開示される主題がそれに限定されない、単なる１つの実例となる実施例に過ぎないこと、および他の図（例えば、図５および図７）は、同じく開示される主題がそれに限定されない、他のスロットアンテナ１０４の空洞形状を図示することを理解されたい。
【００３３】
同様に、図１は、単一のアンテナ１０４だけを示す。上記は、開示される主題がそれに限定されない、単なる１つの実例となる実施例に過ぎないことを理解されたい。種々の実施形態では、複数のアンテナ１０４が、同じ（または異なる）導電性フレーム１０２内に存在し得、またはそれを使用し得る。例えば、図５は、複数のアンテナを示す。例えば、システムまたはデバイスは、各ネットワークまたは通信の規格または周波数に対して１つ以上のアンテナを含み得る。Ｗｉ−Ｆｉプロトコルの例としては、電気電子技術者協会（ＩＥＥＥ）８０２．１１ｇ、ＩＥＥＥ８０２．１１ｎ等が挙げられるが、それらに限定されない。セルラープロトコルの例としては、ＩＥＥＥ８０２．１６ｍ（別名、無線ＭＡＮ（メトロポリタンエリアネットワーク）アドバンスト）、ロングタームエボリューション（ＬＴＥ）アドバンスト、ＧＳＭ（移動体通信用グローバルシステム）進化型高速データレート（ＥＤＧＥ）、進化型高速パケットアクセス（ＨＳＰＡ＋）等が挙げられるが、それらに限定されない。種々の実施形態において、通信規格またはプロトコルは、複数のアンテナを利用する多入力および多出力（ＭＩＭＯ）システム（例えば、ＩＥＥＥ８０２．１１ｎ、セルラー４Ｇ等）を使用し得る。上記は、開示される主題がそれらに限定されない、単なるいくつかの実例となる実施例に過ぎないことを理解されたい。
【００３４】
図２は、開示される主題に従うシステム（例えば、図１のシステム１００）の例示的な実施形態によって作成される周波数グラフ２００である。グラフ２００のＹ軸は、デシベル（ｄＢ）で測定され、Ｘ軸は、周波数、具体的にはギガヘルツ（ＧＨｚ）で測定される。
【００３５】
グラフ２００は、第１のスロットアンテナ（例えば、図１のスロットアンテナ１０４）の周波数共振を示す、線２０２を含み得る。グラフ２００は、第２のスロットアンテナ（例えば、図１のスロットアンテナ１０４のような第２のアンテナ）の周波数共振を示す、線２０４を含み得る。グラフ２００は、第１のスロットアンテナと第２のスロットアンテナとの間の相互結合を示す、線２０４を含み得る。
【００３６】
一実施形態（例えば、セルラー通信）において、周波数は、アンテナが−６ｄＢの以下の反射減衰量を提供する場合に、一致しているとみなされ得る。例示される実施形態において、第１のおよび第２のスロットアンテナは、約７５０〜８５０メガヘルツ（ＭＨｚ）で共振を提供する。上記は、開示される主題がそれに限定されない、単なる１つの実例となる実施例に過ぎないことを理解されたい。
【００３７】
図３は、開示された主題に従うシステム３００の例示的な実施形態の図である。好ましい実施形態において、システム３００は、例えば、共有コンピューティング端末、シンクライアント、デスクトップパーソナルコンピュータ、ラップトップ、ネットブック、タブレット、スマートフォン等の、コンピューティングデバイスを含み得る。
【００３８】
一実施形態において、システム３００は、導電性（例えば、金属等の）フレームまたは筐体１０２を含み得る。上で説明されるように、システム３００はまた、スロットアンテナ１０４も含み得る。
【００３９】
種々の実施形態において、システム３００はまた、非閉ループとして図示される、結合要素３１２を含み得る。種々の実施形態において、結合要素３１２は、モノポールを含み得る。いくつかの実施形態において、結合要素３１２は、導電性材料（例えば、金属等）を含み得る。好ましい実施形態において、結合要素３１２および導電性筐体１０２は、同じ金属または導電性材料を含み得る。そのような実施形態において、結合要素３１２は、絶縁材料または担体（例えば、図７で図示されるもの等）によって、導電性フレーム１０２から分離され得る。
【００４０】
種々の実施形態において、結合要素３１２は、給電点３０８を介して、電気信号によって励振され得る。そのような実施形態において、結合要素３１２は、スロットアンテナ１０４と容量結合され得る。この容量結合は、スロットアンテナ１０４を励振させ得る。この励振は、スロットアンテナ１０４の共振周波数をもたし得る。
【００４１】
いくつかの実施形態では、モノポール結合要素３１２の長さおよびスロットアンテナ１０４の長さを調整することによって、より小さい周波数範囲（図４で示される）で周波数共振が生成され得る。種々の実施形態において、所望の共振周波数は、結合要素３１２とスロットアンテナ１０４との間の容量結合の量を変更することによって調整され得る。
【００４２】
いくつかの実施形態において、システム３００は、高周波結合アーム３１４を含み得る。そのような実施形態では、４分の１波長の結合アーム３１４がスロットアンテナ１０４の高電場（Ｈｉｇｈ−Ｅ）領域の近くに配置されるときに、第２の寄生共振が広帯域で生成され得る。一実施形態において、高周波結合アーム３１４は、高周波帯域で、または高周波帯域内（高周波および低周波は、互いに対してである）で共振を生成するために、ある周波数で励振され得る。そのような実施形態において、高周波結合アーム３１４は、スロットアンテナ１０４の端部３０６と物理的に結合または接続され得る。
【００４３】
図示される実施形態において、高周波結合アーム３１４は、導電性材料（例えば、金属等）を含む、「Ｌ」字形として示される。好ましい実施形態において、高周波結合アーム３１４および導電性筐体１０２は、同じ金属または導電性材料を含み得る。上で説明されるように、そのような実施形態において、高周波結合アーム３１４は、絶縁材料または担体によって、導電性フレーム１０２から分離され得る。
【００４４】
好ましい実施形態において、スロットアンテナ１０４、結合要素３１２、および高周波結合アーム３１４は、導電性フレーム１０２の２つまたは３つの異なる面内または深さ内に存在し得るか、または配置され得、よって、スロットアンテナ１０４、結合要素３１２、および高周波結合アーム３１４は、互いの上側または下側にある。但し、種々の実施形態において、これらの要素１０４、３１２、および３１４は、３次元であり、（例えば、スロットアンテナ１０４の端部３０６等で）それらの主面のそれぞれを横断して互いに接続し得る。
【００４５】
図４は、開示される主題に従うシステム（例えば、図３のシステム３００）の例示的な実施形態によって作成される周波数グラフ４００である。グラフ４００のＹ軸は、デシベル（ｄＢ）で測定され、Ｘ軸は、周波数、具体的にはギガヘルツ（ＧＨｚ）で測定される。
【００４６】
グラフ４００は、第１のスロットアンテナ（例えば、図３のスロットアンテナ１０４）の周波数共振を示す、線４０２を含み得る。グラフ４００は、第２のスロットアンテナ（例えば、図３のスロットアンテナ１０４のような第２のアンテナ）の周波数共振を示す、線４０４を含み得る。グラフ４００は、第１のスロットアンテナと第２のスロットアンテナの間の相互結合を示す、線４０４を含み得る。
【００４７】
図示される実施形態において、線４０２の低周波共振（例えば、約０．７６〜０．８３ＧＨｚの間）は、スロットアンテナと結合要素との間の容量結合によって生じる、スロットアンテナの低周波共振を示し得る。同様に、線４０４の低周波共振（例えば、約０．７９〜０．８５ＧＨｚの間）は、第２の結合要素に起因する第２のスロットアンテナの低周波共振を表し得る。
【００４８】
図示される実施形態において、線４０２の高周波共振（例えば、約１．８３〜１．９０ＧＨｚの間）は、高周波結合アームによって生じる、スロットアンテナの高周波共振を示し得る。同様に、線４０４の高周波共振（例えば、約１．８４〜１．９３ＧＨｚの間）は、第２の高周波結合アームに起因する第２のスロットアンテナの高周波共振を表し得る。上記は、開示される主題がそれらに限定されない、単なるいくつかの実例となる実施例に過ぎないことを理解されたい。
【００４９】
図５は、開示された主題に従うシステム５００の例示的な実施形態の図である。好ましい実施形態において、システム５００は、例えば、共有コンピューティング端末、シンクライアント、デスクトップパーソナルコンピュータ、ラップトップ、ネットブック、タブレット、スマートフォン等の、コンピューティングデバイスを含み得る。
【００５０】
種々の実施形態において、システム５００は、導電性フレームまたは筐体１０２内に、２つのスロットアンテナ５０４および５０４ａを含み得る。図１および図３の「Ｌ」字形スロットアンテナとは異なり、スロットアンテナ５０４および５０４ａは、図示される螺旋形または「紙クリップ」のような形状等の、より複雑な形状を有し得る。上記は、開示される主題がそれに限定されない、単なる１つの実例となる実施例に過ぎないことを理解されたい。
【００５１】
そのような実施形態において、スロットアンテナ５０４は、給電点５０８を含み得る。上で説明されるように、この給電点５０８は、スロットアンテナ５０４を、短絡部分または伝送線５１２、および開放部分または伝送線５１０に分割し得る。図示される実施形態において、開放部分５１０は、非閉ループのように成形され得、短絡部分５１２は、開放部分５１０の周囲で「Ｃ」字形であり得る。部分５１０および５１２は、導電性フレーム１０２の介在部分５１４によって分離され得る。同様に、スロットアンテナ５０４ａには、類似する構造、または同一の構造さえも存在し得る。ここでも、上記は、開示される主題がそれに限定されない、単なる１つの実例となる実施例に過ぎないことを理解されたい。
【００５２】
種々の実施形態において、低いおよび高い２つの周波数共振は、スロットアンテナ５０４で生成され得る。上で説明されるように、これらの共振は、部分５１０および５１２のそれぞれの長さによって制御され得る。
【００５３】
図示される実施形態において、短絡部分５１２が開放部分５１０を包み込む方法のため、部分５１０と５１２との間には電気的結合が存在し得る。別の実施形態では、逆もあり得る。そのような実施形態において、短絡部分５１２と開放部分５１０との間のフレーム部分５１４の幅または量は、スロットアンテナ５０４での追加の周波数共振を制御または生成し得る。種々の実施形態において、これらの追加の周波数共振は、スロットアンテナ５０４が放射または伝送し得る帯域幅または周波数範囲を増加させ得る。
【００５４】
具体的な実施形態において、スロットアンテナ５０４の幅またはＸ軸寸法は、ほぼ１６ｍｍであり得る。スロットアンテナ５０４の高さまたはＹ軸寸法は、ほぼ８ｍｍであり得る。種々の実施形態において、スロットアンテナ５０４と５０４ａとの間の距離は、ほぼ２２ｍｍであり得る。方向を示す用語（例えば、幅、高さ、Ｘ軸サイズ等）は、相対的なものであり、開示される主題を特定の配向に限定するものでないことを理解されたい。また、上記は、開示される主題がそれに限定されない、単なる１つの実例となる実施例に過ぎないことも理解されたい。
【００５５】
図６は、開示される主題に従うシステム（例えば、図５のシステム５００）の例示的な実施形態によって作成される周波数グラフ６００である。グラフ６００のＹ軸は、デシベル（ｄＢ）で測定され、Ｘ軸は、周波数、具体的にはギガヘルツ（ＧＨｚ）で測定される。
【００５６】
グラフ６００は、第１のスロットアンテナ（例えば、図５のスロットアンテナ５０４）の周波数共振を示す、線６０２を含み得る。グラフ４００は、第２のスロットアンテナ（例えば、図５のスロットアンテナ５０４ａ）の周波数共振を示す、線６０４を含み得る。グラフ５００は、第１のスロットアンテナと第２のスロットアンテナの間の相互結合を示す、線５０４を含み得る。
【００５７】
図示される実施形態において、線６０２の低周波共振（例えば、約２．１５〜２．９ＧＨｚの間）は、スロットアンテナの開放部分によって生じる、スロットアンテナの低周波共振を示し得る。図示される実施形態において、線６０２の高周波共振（例えば、約４．９７〜７．００ＧＨｚの間）は、スロットアンテナの短絡部分によって生じる、スロットアンテナの高周波共振を示し得る。線６０４についても同様である。上記は、開示される主題がそれらに限定されない、単なるいくつかの実例となる実施例に過ぎないことを理解されたい。
【００５８】
図７は、開示された主題に従うシステム７００の例示的な実施形態の図である。好ましい実施形態において、システム７００は、例えば、共有コンピューティング端末、シンクライアント、デスクトップパーソナルコンピュータ、ラップトップ、ネットブック、タブレット、スマートフォン等の、コンピューティングデバイスを含み得る。
【００５９】
種々の実施形態において、システム７００は、導電性フレームまたは筐体１０２と、スロットアンテナ７０４とを含み得る。図示される実施形態において、スロットアンテナ７０４は、図１もしくは図３の「Ｌ」字形のスロットアンテナ、または図５のより複雑な構造とは対照的に、直線状または「Ｕ」字形のスロットアンテナ７０４を含み得る。上記は、開示される主題がそれらに限定されない、単なるいくつかの実例となる実施例に過ぎないことを理解されたい。
【００６０】
図示される実施形態において、スロットアンテナ７０４は、導電性フレーム１０２を、導電性フレーム１０２の接地面部分７０８および電気的隔離部分７０６に本質的に分割するように位置付けられ得る。そのような実施形態において、電気的隔離部分７０６は、スロットアンテナ７０４によって接地面部分７０８から分離され得、よって、電気は、接地面部分７０８の中と同じくらい、電気的隔離部分７０６内を自由に流れ得ない。種々の実施形態において、隔離部分７０６は、それを画定するスロットアンテナ７０４と同じくらいの長さにしかなり得ない。一実施形態において、隔離部分７０６の長さは、所望の共振周波数の４分の１波長であり得る。そのような実施形態において、スロットアンテナ７０４は、片側が接地面７０８によって有効に囲まれ得る。
【００６１】
種々の実施形態において、アンテナ給電点（図示せず）は、隔離部分７０６に接続され得る。隔離部分７０６は、給電点を介して励振され得、よって、共振周波数は、スロットアンテナ７０４内で生成され得る。
【００６２】
上で説明されるように、種々の実施形態において、システム７００は、結合要素７１０を含み得る。図示される実施形態において、結合要素７１０は、図３で図示される非閉ループ形とは対照的に、本質的に「Ｕ」字形であり得る。上記は、開示される主題がそれらに限定されない、単なるいくつかの実例となる実施例に過ぎないことを理解されたい。種々の実施形態において、結合要素７１０の長さは、その所望の共振周波数のそれぞれの４分の１波長であり得る。
【００６３】
そのような実施形態において、第２の共振周波数は、結合要素７１０とスロットアンテナ７０４との間の容量結合を介して、スロットアンテナ７０４で生成され得る。上で説明されるように、電気信号は、結合要素７１０に印加され得る。種々の実施形態において、結合要素７１０は、結合要素７１０とスロットアンテナ７０４または隔離部分７０６のいずれかとの（容量的に対して）直接的な電気的結合を防止するために、非導電性セパレータ７１２によって物理的に分離され得る。種々の実施形態において、接地ワイヤまたはコネクタ（図示せず）は、結合要素７１０の接地点７１１ｇを接地面部分７０８に直接的に結合し得る。そのような実施形態において、結合要素７１０の接地点７１１ｇと給電点７１１ｆとの間の長さまたは距離は、結合要素７１０の共振の一致を制御し得る。
【００６４】
図８は、開示される主題に従うシステム（例えば、図７のシステム７００）の例示的な実施形態によって作成される周波数グラフ８００である。グラフ８００のＹ軸は、デシベル（ｄＢ）で測定され、Ｘ軸は、周波数、具体的にはギガヘルツ（ＧＨｚ）で測定される。
【００６５】
グラフ８００は、スロットアンテナ（例えば、図７のスロットアンテナ７０４）の周波数共振を示す、線８０２を含み得る。線８０２は、２つの共振部分８０４および８０６を含み得る。図示される実施形態において、共振部分８０４は、結合要素によって生じる共振周波数を示し得る。共振部分８０６は、導電性フレームの隔離部分によって生成される共振を示し得る。上記は、開示される主題がそれらに限定されない、単なるいくつかの実例となる実施例に過ぎないことを理解されたい。
【００６６】
図９は、開示された主題に従う手法の例示的な実施形態のフローチャートである。種々の実施形態において、手法９００は、図１、図３、図５、図７、または図１０のシステム等のシステムによって使用または作成され得る。さらに、手法９００の部分は、図２、図４、図６、または図８によって図示されるような結果を作成するために使用され得る。但し、上記は、開示される主題がそれらに限定されない、単なるいくつかの実例となる実施例に過ぎないことを理解されたい。開示される主題は、手法９００によって図示されるアクションの順序または数に限定されないことを理解されたい。
【００６７】
ブロック９０２は、上で説明されるように、一実施形態において、電気信号がアンテナシステムの給電点に伝送され得ることを示す。上で説明されるように、種々の実施形態において、アンテナシステムは、スロット開口を有するスロットアンテナを含み得る。上で説明されるように、いくつかの実施形態において、このスロットアンテナは、導電性フレームに包含され得るか、またはそれ自体であり得る。上で説明されるように、いくつかの実施形態において、このスロットアンテナは、第１の周波数共振を提供し、印加された電気信号を伝送するように構成され得る。上で説明されるように、いくつかの実施形態において、スロット開口は、非常に小さくなり得、例えば、スロットアンテナの共振波長の１／２００未満等であり得る。種々の実施形態において、導電性フレームは、スロットアンテナの接地面を少なくとも部分的に形成し得る。上記は、開示される主題がそれに限定されない、単なる１つの実例となる実施例に過ぎないことを理解されたい。
【００６８】
いくつかの実施形態において、給電点は、スロットアンテナを、短絡部分および開放部分に分配または分割し得る。そのような一実施形態において、給電点は、短絡部分のキャパシタンスおよび開放部分のインダクタンスが所定のインピーダンス（例えば、７５Ω等）に一致するように組み合わせ得るように位置付けられ得る。上で説明されるように、種々の実施形態において、容量結合を介して、スロットアンテナで第２の共振周波数を生成するために、スロットアンテナの短絡部分は、スロットアンテナの開放部分の実質的に周囲に位置付けられ得る。
【００６９】
上で説明されるように、別の実施形態において、アンテナシステムは、導電性結合要素を含み得る。上で説明されるように、そのような一実施形態において、給電点は、導電性結合要素に包含され得るか、またはそれと結合され得る。種々の実施形態において、導電性結合要素は、スロットアンテナに物理的に接触しないように位置付けられ得る。上で説明されるように、種々の実施形態において、導電性結合要素は、共振周波数または最小の別の共振周波数を提供するために、スロットアンテナと容量結合され得る。
【００７０】
上で説明されるように、さらに別の実施形態において、スロットアンテナは、導電性フレームの隔離部分を生成するために、導電性フレーム内に位置付けられ得る。上で説明されるように、そのような実施形態において、給電点は、隔離部分に包含され得るか、またはそれと結合され得る。そのような実施形態において、隔離部分は、励振されると、スロットアンテナ内で共振周波数を生成し得る。
【００７１】
上で説明されるように、種々の実施形態において、このブロックによって示されるアクションの１つ以上は、図１、図３、図５、図７、または図１０の装置またはシステム、図１、図３、図５、または図７の給電点、スロットアンテナ、および導電性フレームによって行われ得る。
【００７２】
上で説明されるように、ブロック９０４は、一実施形態において、アンテナシステムの第２の給電点が、励振され得るか、またはそれに伝送される第２の電気信号を有し得ることを示す。上で説明されるように、種々の実施形態において、スロットアンテナおよび導電性フレームに加えて、アンテナシステムは、導電性結合要素を含み得る。上で説明されるように、そのような実施形態において、導電性結合要素は、第２の給電点を介して励振され、容量結合を介して、スロットアンテナで第２の周波数共振を生成するように構成され得る。上で説明されるように、種々の実施形態において、このブロックによって示されるアクションの１つ以上は、図５、図７、または図１０の装置またはシステム、図５または図７の給電点、スロットアンテナ、導電性フレーム、および導電性結合要素によって行われ得る。
【００７３】
種々の実施形態において、１つまたは複数の電気信号が給電点（複数可）に印加されると、次いで、アンテナシステムは、電気信号が（例えば、そのデバイスアンテナシステムを介して）別のデバイスによって受信され得るような方法で、電波を介して、その電気信号または実質的にその中に含まれる情報を伝送または送信し得る。別の実施形態において、アンテナシステムは、最初に、（例えば、別のデバイス等から）電波を介して電気信号を受信し、次いで、その電気信号または実質的にその中に含まれる情報を、給電点に伝送し得、該給電点では、そこからアンテナシステムを含むデバイスによってそれが受信され、処理され得る。上記は、開示される主題がそれらに限定されない、単なるいくつかの実例となる実施例に過ぎないことを理解されたい。
【００７４】
図１０は、本明細書で説明される手法で使用され得る、汎用コンピュータデバイス１０００および汎用モバイルコンピュータデバイス１０５０の実施例を示す。コンピューティングデバイス１０００は、ラップトップ、デスクトップ、ワークステーション、携帯情報端末、サーバ、ブレードサーバ、メインフレーム、および他の適切なコンピュータ等の、種々の形態のデジタルコンピュータを表すことが意図される。コンピューティングデバイス１０５０は、携帯情報端末、携帯電話、スマートフォン、および他の類似するコンピューティングデバイス等の、種々の形態のモバイルデバイスを表すことが意図される。本明細書で示されるコンピュータ、それらの接続および関係、ならびにそれらの機能は、例示的なものに過ぎず、本文書で説明および／または主張される本発明の実現例を限定するものでない。
【００７５】
コンピューティングデバイス１０００は、プロセッサ１００２と、メモリ１００４と、記憶デバイス１００６と、メモリ１００４および高速拡張ポート１０１０に接続する高速インターフェース１００８と、低速バス１０１４および記憶デバイス１００６に接続する低速インターフェース１０１２とを含む。構成要素１００２、１００４、１００６、１００８、１０１０、および１０１２のそれぞれは、種々のバスを使用して相互接続され、共通のマザーボード上に、または必要に応じて他の手法で載置され得る。プロセッサ１００２は、高速インターフェース１００８に結合されたディスプレイ１０１６等の外部入力／出力デバイス上に、ＧＵＩのグラフィック情報を表示するために、メモリ１００４または記憶デバイス１００６に記憶される命令を含む、コンピュータデバイス１０００内で実行するための命令を処理することができる。他の実装例では、複数のメモリおよび複数のタイプのメモリとともに、必要に応じて、複数のプロセッサおよび／または複数のバスが使用され得る。また、複数のコンピューティングデバイス１０００が接続され得、各デバイスは、（例えば、サーババンク、一群のブレードサーバ、またはマルチプロセッサシステムとしての）必要な動作部分を提供する。
【００７６】
メモリ１００４は、コンピューティングデバイス１０００内に情報を記憶する。一実現例において、メモリ１００４は、１つまたは複数の揮発性メモリユニットである。別の実現例において、メモリ１００４は、１つまたは複数の不揮発性メモリユニットである。メモリ１００４はまた、磁気ディスクまたは光ディスク等の、別の形態のコンピュータが読み出し可能な媒体であり得る。
【００７７】
記憶デバイス１００６は、コンピューティングデバイス１０００のための大容量記憶を提供することができる。一実現例において、ストレージデバイス１００６は、フロッピーディスクデバイス、ハードディスクデバイス、光ディスクデバイス、もしくはテープデバイス、フラッシュメモリもしくは他の類似する固体メモリデバイス、またはストレージエリアネットワークもしくは他の構成を含む一連のデバイス等の、コンピュータが読み出し可能な媒体であるか、またはそれを含み得る。コンピュータプログラム製品は、情報担体に実体的に具現化することができる。コンピュータプログラム製品はまた、実行されると、上で説明されるような１つ以上の方法を行う、命令も含み得る。情報担体は、メモリ１００４、記憶デバイス１００６、またはプロセッサ１００２上のメモリ等の、コンピュータが読み出し可能なまたは機械が読み出し可能な媒体である。
【００７８】
高速コントローラ１００８は、コンピューティングデバイス１０００のための帯域幅集中的操作を管理し、一方で、低速コントローラ１０１２は低い帯域幅集中的操作を管理する。そのような機能の割り当ては、例示的なものに過ぎない。一実現例において、高速コントローラ１００８は、メモリ１００４、（例えば、グラフィックスプロセッサまたはアクセラレータを通して）ディスプレイ１０１６、および種々の拡張カード（図示せず）を受け付け得る高速拡張ポート１０１０に結合される。実現例において、低速コントローラ１０１２は、記憶デバイス１００６および低速拡張ポート１０１４に結合される。種々の通信ポート（例えば、ＵＳＢ、Ｂｌｕｅｔｏｏｔｈ、イーサネット、無線イーサネット）を含み得る、低速拡張ポートは、例えばネットワークアダプタを通して、キーボード、ポインティングデバイス、スキャナ、またはスイッチもしくはルータ等のネットワーキングデバイス等の、１つ以上の入力／出力デバイスに結合され得る。
【００７９】
コンピューティングデバイス１０００は、図で示されるような、いくつかの異なる形態で実現され得る。例えば、それは、標準サーバ１０２０として、または一群のそのようなサーバで複数倍に実現され得る。また、それは、ラックサーバシステム１０２４の一部として実現され得る。加えて、それは、ラップトップコンピュータ１０２２等のパーソナルコンピュータで実現され得る。あるいは、コンピューティングデバイス１０００からの構成要素は、デバイス１０５０等の、モバイルデバイス（図示せず）の中の他の構成要素と組み合わせられ得る。そのようなデバイスのそれぞれは、コンピューティングデバイス１０００、１０５０の１つ以上を含み得、システム全体は、相互に通信している複数のコンピューティングデバイス１０００、１０５０で構成され得る。
【００８０】
コンピューティングデバイス１０５０は、数ある他の構成要素の中でも、プロセッサ１０５２と、メモリ１０６４と、ディスプレイ１０５４等の入力／出力デバイスと、通信インターフェース１０６６と、送受信機１０６８とを含む。デバイス１０５０にはまた、さらなる記憶を提供するために、マイクロドライブまたは他のデバイス等の記憶デバイスも提供され得る。構成要素１０５０、１０５２、１０６４、１０５４、１０６６、および１０６８のそれぞれは、種々のバスを使用して相互接続され、構成要素のいくつかは、共通のマザーボード上に、または必要に応じて他の手法で載置され得る。
【００８１】
プロセッサ１０５２は、コンピューティングデバイス１０５０内で、メモリ１０６４に記憶される命令を含む、命令を実行することができる。プロセッサは、別個のおよび複数のアナログおよびデジタルプロセッサを含む、チップのチップセットとして、実現され得る。プロセッサは、例えば、ユーザインターフェースの制御、デバイス１０５０によって動作されるアプリケーション、およびデバイス１０５０による無線通信等の、デバイス１０５０の他の構成要素の協調を提供し得る。
【００８２】
プロセッサ１０５２は、ディスプレイ１０５４に結合される制御インターフェース１０５８およびディスプレイインターフェース１０５６を通してユーザと通信し得る。ディスプレイ１０５４は、例えば、ＴＦＴＬＣＤ（薄膜トランジスタ液晶ディスプレイ）もしくはＯＬＥＤ（有機発光ダイオード）ディスプレイ、または他の適切なディスプレイ技術であり得る。ディスプレイインターフェース１０５６は、グラフィカルおよび他の情報をユーザに提示するために、ディスプレイ１０５４を駆動するための適切な回路を備え得る。制御インターフェース１０５８は、ユーザからコマンドを受け取り、プロセッサ１０５２に提出するためにそれらを変換し得る。加えて、外部インターフェース１０６２は、デバイス１０５０の他のデバイスとのニアエリア通信を可能にするように、プロセッサ１０５２との通信を提供し得る。外部インターフェース１０６２は、例えば、いくつかの実現例において、有線通信を提供し得、他の実現例において、無線通信を提供し得、また、複数のインターフェースも使用し得る。
【００８３】
メモリ１０６４は、コンピューティングデバイス１０５０内に情報を記憶する。メモリ１０６４は、１つもしくは複数のコンピュータが読み出し可能な媒体、１つもしくは複数の揮発性メモリユニット、または１つもしくは複数の不揮発性メモリユニットの1つ以上として実現することができる。また、拡張メモリ１０７４も提供され得、例えばＳＩＭＭ（シングルインラインメモリモジュール）カードインターフェースが挙げられ得る、拡張インターフェース１０７２を通してデバイス１０５０に接続され得る。そのような拡張メモリ１０７４は、デバイス１０５０のための追加の記憶空間を提供し得るか、または、デバイス１０５０のためのアプリケーションまたは他の情報も記憶し得る。具体的には、拡張メモリ１０７４は、上で説明されるプロセスを実行する、または補足するための命令を含み得、また、セキュア情報も含み得る。したがって、例えば、拡張メモリ１０７４は、デバイス１０５０のためのセキュリティモジュールとして提供され得、また、デバイス１０５０のセキュアな使用を可能にする命令でプログラムされ得る。加えて、ハッキングできない手法でＳＩＭＭカードに識別情報を配置する等の、セキュアアプリケーションが、追加の情報とともに、ＳＩＭＭカードを介して提供され得る。
【００８４】
下で論じられるように、メモリとしては、例えば、フラッシュメモリおよび／またはＮＶＲＡＭメモリが挙げられ得る。一実現例において、コンピュータプログラム製品は、情報担体に実体的に具現化される。コンピュータプログラム製品は、実行されると、上で説明されるような１つ以上の方法を行う、命令を含む。情報担体は、メモリ１０６４、拡張メモリ１０７４、またはプロセッサ１０５２上のメモリ等の、例えば送受信機１０６８または外部インターフェース１０６２を通じて受け取られ得る、コンピュータが読み出し可能なまたは機械が読み出し可能な媒体である。
【００８５】
デバイス１０５０は、通信インターフェース１０６６を通して無線で通信し得、必要に応じて、デジタル信号処理回路を含み得る。通信インターフェース１０６６は、数ある中でも、ＧＳＭ音声通話、ＳＭＳ、ＥＭＳ、もしくはＭＭＳメッセージング、ＣＤＭＡ、ＴＤＭＡ、ＰＤＣ、ＷＣＤＭＡ、ＣＤＭＡ２０００、もしくはＧＰＲＳ等の、種々のモードまたはプロトコルの下での通信を提供し得る。そのような通信は、例えば、無線周波数送受信機１０６８を通して起こり得る。加えて、Ｂｌｕｅｔｏｏｔｈ、ＷｉＦｉ、または他のそのような送受信機（図示せず）等を使用して、短距離通信が起こり得る。加えて、ＧＰＳ（グローバルポジショニングシステム）受信モジュール１０７０は、必要に応じてデバイス１０５０上で動作するアプリケーションによって使用され得る、追加のナビゲーション関連および場所関連の無線データをデバイス１０５０に提供し得る。
【００８６】
デバイス１０５０はまた、オーディオコーデック１０６０を使用して可聴的にも通信し得、ユーザから音声情報を受け取り、それを使用可能なデジタル情報に変換し得る。オーディオコーデック１０６０は、同様に、例えばデバイス１０５０のハンドセットで、スピーカー等を通して、ユーザに対する可聴音を発生させ得る。そのような音は、音声電話からの音を含み得、記録された音（例えば、音声メッセージ、音楽ファイル等）を含み得、また、デバイス１０５０上で動作するアプリケーションによって発生される音も含み得る。
【００８７】
コンピューティングデバイス１０５０は、図で示されるように、いくつかの異なる形態で実現され得る。例えば、それは、携帯電話１０８０として実現され得る。それはまた、スマートフォン１０８２、携帯情報端末、または他の類似するモバイルデバイスの一部として実現され得る。
【００８８】
本明細書で説明されるシステムおよび手法の種々の実現例は、デジタル電子回路、集積回路、特別に設計されたＡＳＩＣ（特定用途向け集積回路）、コンピュータハードウェア、ファームウェア、ソフトウェア、および／またはそれらの組み合わせで実現することができる。これらの種々の実現例は、記憶システムからデータおよび命令を受け取るために、該記憶システムにデータおよび命令を送るために結合され、専用または汎用であり得る、少なくとも１つのプログラマブルプロセッサ、少なくとも１つの入力デバイス、少なくとも１つの出力デバイスを含む、プログラマブルシステム上で実行可能および／または解釈可能である、１つ以上のコンピュータプログラムの実現例を含むことができる。
【００８９】
これらのコンピュータプログラム（プログラム、ソフトウェア、ソフトウェアアプリケーション、またはコードとしても知られる）は、プログラマブルプロセッサのための機械命令を含み、高水準手続きプログラミング言語および／もしくはオブジェクト指向プログラミング言語、ならびに／またはアセンブリ言語／機械言語で実現することができる。本明細書で使用される「機械が読み出し可能な媒体」、「コンピュータが読み出し可能な媒体」という用語は、機械が読み出し可能な信号として機械命令を受け取る機械が読み出し可能な媒体を含む、機械命令および／またはデータを、プログラマブルプロセッサに提供するために使用される、任意のコンピュータプログラム製品、装置、および／またはデバイス（例えば、磁気ディスク、光ディスク、メモリ、プログラマブル論理デバイス（ＰＬＤ））を指す。「機械が読み出し可能な信号」という用語は、機械命令および／またはデータをプログラマブルプロセッサに提供するために使用される任意の信号を指す。
【００９０】
ユーザとの相互作用を提供するために、本明細書で説明されるシステムおよび手法は、情報をユーザに表示するための表示デバイス（例えば、ＣＲＴ（陰極線管）またはＬＣＤ（液晶ディスプレイ）モニタ）、ならびにそれによってユーザがコンピュータに入力を提供することができるキーボードおよびポインティングデバイス（例えば、マウスまたはトラックボール）を有するコンピュータ上で実現することができる。ユーザとの相互作用を提供するために、他の種類のデバイスを使用することも可能である。例えば、ユーザに提供されるフィードバックは、任意の形態の感覚フィードバック（例えば、視覚フィードバック、聴覚フィードバック、または触覚フィードバック）とすることができ、ユーザからの入力は、音響入力、音声入力、または触覚入力を含む、任意の形態で受け取ることができる。
【００９１】
本明細書で説明されるシステムおよび手法は、バックエンド構成要素（例えば、データサーバ等）を含む、またはミドルウェア構成要素（例えば、アプリケーションサーバ）を含む、またはフロントエンド構成要素（例えば、ユーザがそれを通して本明細書で説明されるシステムおよび手法の実現例と相互作用することができるグラフィカルユーザインターフェースまたはウェブブラウザを有する、クライアントコンピュータ）を含む、またはそのようなバックエンド構成要素、ミドルウェア構成要素、もしくはフロントエンド構成要素の任意の組み合わせ含む、コンピューティングシステムで実現することができる。システムの構成要素は、任意の形態または媒体のデジタルデータ通信（例えば、通信ネットワーク）によって相互接続することができる。通信ネットワークの例としては、ローカルエリアネットワーク（「ＬＡＮ」）、ワイドエリアネットワーク（「ＷＡＮ」）、およびインターネットが挙げられる。
【００９２】
コンピューティングシステムは、クライアントおよびサーバを含むことができる。クライアントおよびサーバは、全般的に、互いから遠隔であり、一般的に、通信ネットワークを通して相互作用する。クライアントとサーバとの関係は、それぞれのコンピュータ上で動作し、互いにクライアント−サーバ関係を有する、コンピュータプログラムによって生じる。
【００９３】
いくつかの実施形態を説明してきた。それでも、本発明の趣旨および範囲から逸脱することなく、種々の変更が行われ得ることが理解されるであろう。
【００９４】
加えて、図に描画される論理フローは、望ましい結果を達成するために、示される特定の順序または連続的な順序を必要としない。加えて、他のステップが提供され得、または説明されるフローからステップが省略され得、また、説明されるシステムに他の構成要素が追加され得、または説明されるシステムから他の構成要素が除去され得る。したがって、他の実施形態は、以下の特許請求の範囲の範囲内である。
【図１】
2014533454.tif 000003
【図２】
2014533454.tif 000004
【図３】
2014533454.tif 000005
【図４】
2014533454.tif 000006
【図５】
2014533454.tif 000007
【図６】
2014533454.tif 000008
【図７】
2014533454.tif 000009
【図８】
2014533454.tif 000010
【図９】
2014533454.tif 000011
【図１０】
2014533454.tif 000012
【国際調査報告】
2014533454.tif 000013
2014533454.tif 000014
2014533454.tif 000015